(57)【要約】【課題】  ドレン受け皿の落下やドレン水をこぼして床面を汚すのを防止して、素早く簡単にドレン排出口の目詰まりの除去等の清掃作業をすることができる送風機のドレン受け皿取付構造を提供する。【解決手段】  吸込口２と吐出口３を有する本体箱体１、この本体箱体１内に設けられたモ−タ、このモータに連結された羽根及び本体箱体１の下部に設けられ本体箱体１内部に発生したドレン水を処理するドレン受け皿３０を備え、ドレン受け皿３０は、本体箱体１の下部に設けられたドレン受け皿支持手段に引き出し自在に支持されるように構成し、ドレン受け皿支持手段は、本体箱体１を支持するとともに、ドレン受け皿３０を引き出し自在に支持するドレンレールを兼ねる部分を有する断面略ハット形状の架台２０とし、ドレン受け皿３０の両側面上部にドレンレールに支持されるドレンガイドを備える。【選択図】        図２
2005098653.tif 000002
【特許請求の範囲】
【請求項１】
吸込口と吐出口を有する本体箱体、この本体箱体内に設けられたモ−タ、このモータに連結された羽根及び前記本体箱体の下部に設けられ前記本体箱体内部に発生したドレン水を処理するドレン受け皿を備え、
前記ドレン受け皿は、前記本体箱体の下部に設けられたドレン受け皿支持手段に引き出し自在に支持されることを特徴とする送風機のドレン受け皿取付構造。
【請求項２】
ドレン受け皿支持手段は、本体箱体の底面に設けられ、前記本体箱体を支持するとともに、ドレン受け皿を引き出し自在に支持するドレンレールを兼ねる部分を有する形状としたことを特徴とする請求項１記載の送風機のドレン受け皿取付構造。
【請求項３】
ドレン受け皿支持手段の形状は断面略ハット形状または段差形状に形成され、内側の縁部をドレンレールとし、
ドレン受け皿の両側面上部に、前記ドレンレールに支持されるドレンガイドを備たことを特徴とする請求項２記載の送風機のドレン受け皿取付構造。
【請求項４】
ドレン受け皿のドレンガイドをドレン受け皿支持手段のドレンレールに挿入したときに、前記ドレン受け皿を所定の位置に停止させる位置決めストッパーを設けたことを特徴とする請求項１〜３のいずれかに記載の送風機のドレン受け皿取付構造。
【請求項５】
位置決めストッパーは、ドレンガイドの前面端部から下方に延設して形成したことを特徴とする請求項４記載の送風機のドレン受け皿取付構造。
【請求項６】
ドレン受け皿を出し入れするときに、前記ドレン受け皿の傾きを防止する傾き防止ストッパーを設けたことを特徴とする請求項２〜５のいずれかに記載の送風機のドレン受け皿取付構造。
【請求項７】
傾き防止ストッパーは、ドレン受け皿のドレンガイドの外側端部から上方に延設して形成され、かつ、前記ドレン受け皿をドレンレールに載置したときに、前記傾き防止ストッパーの上縁部と本体箱体の底面が所定の隙間となるようにしたことを特徴とする請求項６記載の送風機のドレン受け皿取付構造。
【発明の詳細な説明】
【技術分野】
【０００１】
この発明は、本体箱体内に設けられたモ−タ、このモータに連結された羽根及び本体箱体の下部に設けられたドレン受け皿を備えた送風機のドレン受け皿取付構造に関するものである。
【背景技術】
【０００２】
従来の天井埋込型室内空調機のドレンアップ装置は、一対の内曲げフランジと外曲げフランジを設けたポンプハウジングの外曲げフランジに取付られているサブドレン受け皿内に、ドレンポンプおよびフロ−トスイッチを内曲げフランジに係合する保持片を有した固定金具を介して取付けることにより、サブドレン受け皿は内曲げフランジと外曲げフランジにより保持されていたものであった（例えば、特許文献１）。
【０００３】
【特許文献１】特開平０９−２１０３９７号公報（段落００１４〜００２１、図１）
【発明の開示】
【発明が解決しようとする課題】
【０００４】
従来のドレン受け皿の構造では、ドレンポンプが塵、埃等により目詰まりを起した場合、サブドレン受け皿にはドレン水が溜まるケ−スが想定され、その場合の処置として、固定金具を外すことによりサブドレン受け皿を取外すことができる。
しかし、サブドレン受け皿にはドレン水が溜まっていることより装置が大きくドレン受け皿が大きいときは非常に重く清掃が重労働となり、また、取外し時にサブドレン受け皿の支え方によっては、バランスを崩しやすくドレン水をこぼして床を汚してしまうといった問題があり、特に、清潔が必要である厨房の送風機の清掃で問題があった。
更に、取外しの際、サブドレン受け皿を支える人と固定金具を外す人との２人作業になるといった問題もあった。
【０００５】
この発明は、上記の課題を解決するためになされたもので、ドレン排出口の塵、埃による目詰まりの除去等の清掃する際、ドレン受け皿の落下やドレン水をこぼして床面を汚すのを防止して、素早く簡単にドレン排出口の目詰まりの除去等の清掃作業をすることができる送風機のドレン受け皿取付構造を提供することを目的とする。
【課題を解決するための手段】
【０００６】
この発明による送風機のドレン受け皿取付構造は、吸込口と吐出口を有する本体箱体、この本体箱体内に設けられたモ−タ、このモータに連結された羽根及び前記本体箱体の下部に設けられ前記本体箱体内部に発生したドレン水を処理するドレン受け皿を備え、前記ドレン受け皿は、前記本体箱体の下部に設けられたドレン受け皿支持手段に引き出し自在に支持されるものである。
【発明の効果】
【０００７】
この発明に係る送風機のドレン受け皿取付構造において、ドレン受け皿は、本体箱体の下部に設けられたドレン受け皿支持手段に引き出し自在に支持されるので、ドレン排出口の塵、埃による目詰まり等を清掃する際、ドレン水の溜まった重いドレン受け皿を持ち上げる必要がなく、また、ドレン受け皿の落下やドレン水をこぼして床面を汚すのを防止して、素早く簡単にドレン排出口の目詰まりの除去等の清掃作業をすることができる。
【発明を実施するための最良の形態】
【０００８】
実施の形態
図１は、この発明の実施の形態を示す送風機の内部構造図、図２は図１の正面図、図３は側面図、図４は図２のＡ部拡大図、図５は送風機のドレン受け皿の構成図である。
本実施の形態の送風機は、天井裏や機械室などに天吊又は床置き状態にて設置されるものである。図１〜図３において、送風機の六面の本体箱体１には、対向する側面に吸込み口２と吹出し口３が各々ダクト接続可能に設けられている。
【０００９】
本体箱体１の内部には、羽根４とモ−タ５とファンケ−シング７が複数台固定されており、本体箱体１は架台２０で支持されている。また、本体箱体１の下部に本体箱体１内部に発生したドレン水を処理するドレン受け皿３０が設けられている。そして、本体箱体１の底板にはドレン抜き穴６が複数設けられている。
【００１０】
架台２０は本体箱体１の底面の両辺近傍に沿って設けられ、本体箱体１を支持するが、ドレン受け皿３０を引き出し自在に支持するドレンレール２１を兼ねる部分を有する形状に形成されている。すなわち、図４に示すように架台２０は断面略ハット形状であり、内側の縁部をドレンレール２１としている。
【００１１】
また、図４、図５に示すようにドレン受け皿３０の両側面上部に、ドレンレール２１に支持されるドレンガイド３４を設け、ドレン受け皿３０のドレンガイド３４を架台２０のドレンレール２１に挿入したときに、ドレン受け皿３０を所定の位置に停止させる位置決めストッパー３２を設けている。この位置決めストッパー３２は、ドレンガイド３４の前面側の端部から下方に延設して形成している。
また、ドレンガイド３４の前面側の端部には架台２０のドレンレール２１に載せて固定ねじ３１で締付固定するときに使用される固定ねじ穴３４ａが設けられている。
【００１２】
更に、ドレン受け皿３０を出し入れするときに、ドレン受け皿３０の溜まった水、油がドレン受け皿３０が傾いてこぼれないように、ドレン受け皿３０の傾きを防止する傾き防止ストッパー３３は、ドレン受け皿３０の一対のドレンガイド３４の外側端部から上方に延設して形成され、かつ、ドレン受け皿３０をドレンレール２１に載置したときに、傾き防止ストッパー３３の上縁部と本体箱体１の底面が所定の隙間Ｓとなるようにしている。傾き防止ストッパ−３３の上縁部がドレン受け皿３０が傾くと本体箱体１の底面に当ることで傾きを防止するが、傾き度合いは隙間Ｓにより決まる。
【００１３】
次に、この発明の実施の形態に係る送風機のドレン受け皿取付構造の動作につき図１〜５により説明する。
本体箱体１には吸込み口２からファンケ−シング７の羽根４から吹出し口３へ排気される。例えば厨房、プ−ル、給湯室などの換気の場合、油煙又は湯気がこの送風機内を通ることで、水、油が本体箱体１の底部に滴下する。この水、油は本体箱体１の底板に空いているドレン抜き穴６を通り、ドレン受け皿３０に溜まる。
ドレン受け皿３０の底板はドレン排水プラグ５０に向って流れ、排水プラグ５０に接続されたホ−ス、塩ビパイプ、金属フレキ管等から所定の場所に集められ処理される。
【００１４】
排気の空気には、水、油の他に塵、埃も多く含まれており、数年使用することにより、排水プラグ５０の排水穴５１が目詰まりを起し排水ができずドレン受け皿内に溜まるケ−スも少なくない。この場合、排水穴５１の目詰まり要因を除去するには、まず、ドレンガイド３４の先端の固定ねじ穴３４ａと架台２０のドレンレール２１を固定している固定ねじ３１を外し、ドレン受け皿３０を手前に引き出すと、架台２０のドレンレ−ル２１の上をドレン受け皿３０のドレンガイド３４がスライドして前方に移動する。
【００１５】
このとき、ドレン受け皿３０が傾こうとすると、ドレンガイド３４に設けられたドレン傾き防止ストッパ−３３が本体箱体１の底面に当るので、傾きが防止され、ドレン受け皿３０に溜まった水、油がこぼれないようにすることができる。
この傾き度合いは、ドレン傾き防止ストッパ−３３と本体箱体１の底面の間に設けられた隙間Ｓにより決まるため、スライドしやすい範囲でなるべく隙間を少なくする必要がある。
【００１６】
そして、ドレン受け皿３０の内面に位置する排水プラグ５０を覗き、その位置で目詰まり要因を取り除くことでドレン受け皿３０に溜まった水、油を排水することができる。更に、ドレン受け皿３０の内面の清掃を行う場合は、更に手前に引出して清掃を行う。また、ドレン受け皿３０を更に引き出して取外して内面の清掃を行うことも可能である。
【００１７】
次に、清掃後のセッテイングは、ドレン受け皿３０のドレンガイド３４を架台２０のドレンレ−ル２１の上に載せ、後方にスライドさせドレン受け皿３０のドレンガイド３４を固定穴３１ａを介してねじ３１で架台２０のドレンレ−ル２１に締付て固定する。
このとき、ドレン受け皿３０のドレンガイド３４の先端部に設けられた位置決めストッパ−３２が、架台２０のドレンレ−ル２１の先端部に当接することにより、ドレン受け皿３０の位置が決まり、行き過ぎないようにすることができる。
【００１８】
以上のように、ドレン受け皿は、本体箱体の下部に設けられたドレン受け皿支持手段に引き出し自在に支持されるので、ドレン排出口の塵、埃による目詰まり等を清掃する際、ドレン水の溜まった重いドレン受け皿３０を持ち上げて外す必要がなく、また、ドレン受け皿の落下やドレン水をこぼして床面を汚すのを防止することができ、ドレン受け皿３０を着脱しなくても一人でも素早く簡単にドレン排出口の目詰まりの除去等の清掃作業をすることができる。
【００１９】
また、ドレン受け皿支持手段は、本体箱体の底面に設けられ、本体箱体１を支持するとともに、ドレン受け皿３０を引き出し自在に支持するドレンレール２１を兼ねる部分を有する形状としたので、構成を簡単にすることができる。
【００２０】
また、ドレン受け皿３０のドレンガイド３４を架台２０のドレンレール２１に挿入したときに、ドレン受け皿３０を所定の位置に停止させる位置決めストッパー３２を設けたので、ドレン受け皿３０を簡単に所定の位置をセットすることができる。
【００２１】
また、ドレン受け皿３０の傾きを防止する傾き防止ストッパー３３を設けたので、ドレン水を外にこぼすことなく床面を汚さないようにすることができる。
【００２２】
また、傾き防止ストッパー３３は、ドレン受け皿３０のドレンガイド３４の外側端部から上方に延設して形成したので、ドレンガイド３４の補強ともなりドレンガイド３４を厚くしなくとも変形が生じないので、軽くするとともにスライド性の低下を防止することができる。
【００２３】
なお、本実施の形態では架台２０は断面略ハット形状としたが、内側にドレンレール２１を有する段差形状としてもよい。
【図面の簡単な説明】
【００２４】
【図１】この発明の実施の形態を示す送風機の内部構造図である。
【図２】図１の正面図である。
【図３】図２の側面図である。
【図４】図２Ａ部の拡大図である。
【図５】この発明の実施の形態を示す送風機のドレン受け皿の構成図である。
【符号の説明】
【００２５】
１  本体箱体、２  吸込み口、３  吹出し口、２０  架台、２１  ドレンレ−ル、３０  ドレン受け皿、３２  位置決めストッパ−、３３  傾き防止ストッパ−  、Ｓ  隙間、３４  ドレンガイド。
【図１】
2005098653.tif 000003
【図２】
2005098653.tif 000004
【図３】
2005098653.tif 000005
【図４】
2005098653.tif 000006
【図５】
2005098653.tif 000007